(57)【特許請求の範囲】
【請求項１】
ビデオ−写真機器用の支持ヘッド（１）であって、前記支持ヘッド（１）は、
支持構造に固定されることが意図されたベース（２）と、
前記ヘッド（１）上に画定されたそれぞれの回転軸（Ｘ、Ｙ、Ｚ）を中心に回転するように前記ベース（２）に対して回転する少なくとも１つの本体（３、４、５）と、
自体の第１の端部（３１ａ、４１ａ）のところで前記少なくとも１つの本体（３、４、５）に固定された長手軸（Ａ、Ｂ）に沿って延びるシャフト（３１、４１）、および前記シャフト（３１、４１）の前記第１の端部（３１ａ、４１ａ）の長手方向反対側の第２の端部（３１ｂ、４１ｂ）と関連付けられたハンドル（３２、４２）を備える、前記本体を前記回転軸（Ｘ、Ｙ、Ｚ）に関して回転させるための前記少なくとも１つの本体（３、４、５）の入れ子式の作動デバイス（３０、４０、５０）と、を備え、
前記ハンドル（３２、４２）が、前記ハンドル（３２、４２）が前記少なくとも１つの本体（３、４、５）の前記回転軸（Ｘ、Ｙ、Ｚ）を中心とする前記回転を制御するように配置される稼働構成（Ｗ）と、前記ハンドル（３２、４２）が前記少なくとも１つの本体（３、４、５）に近い位置にある最小サイズの非稼働構成（Ｗ’）との間で、前記長手軸（Ａ、Ｂ）に沿って変位可能であるように、前記シャフト（３１、４１）に対してスライド可能であり、前記ハンドル（３２、３４）には前記シャフト（３１、４１）と前記ハンドル（３２、４２）との間に挿置されかつ前記シャフト（３１、４１）の前記ハンドル（３２、４２）に対するスライドと摩擦を生じるように配置構成された摩擦要素（３６、３７）が設けられており、
前記摩擦要素が、前記ハンドル（３２）の空洞部（３３）の壁部（Ｐ）と前記シャフト（３１）との間に挿置された少なくとも１つのくさび形の要素（３７）を備え、
前記摩擦要素（３６、３７）を前記ハンドル（３２）の壁部（Ｐ）に対して押し付けて、挿置された前記摩擦要素（３６、３７）を前記壁部（Ｐ）および前記シャフト（３１）に対して当接状態に維持するように構成されたばね（３５）をさらに備える、
ビデオ−写真機器用の支持ヘッド（１）。
【請求項２】
前記ハンドル（３２、４２）には、前記長手軸（Ａ、Ｂ）に沿って延びかつ前記シャフト（３１、４１）の少なくともある部分（３１”）をスライド可能な様式で受容するように配置構成された空洞部（３３）が設けられる、請求項１に記載の支持ヘッド。
【請求項３】
前記少なくとも１つのくさび形の要素（３７）が、前記シャフト（３１）と前記少なくとも１つのくさび形の要素（３７）との間の最小スライド角度よりも大きい大きさを有する、前記壁部（Ｐ）と前記シャフト（３１）との間に画定された角度（α）を備える、請求項２に記載の支持ヘッド。
【請求項４】
前記少なくとも１つのくさび形の要素（３７）が、周方向に離間された位置に設けられた３つのくさび（３７）を備える、請求項３に記載の支持ヘッド。
【請求項５】
それぞれの回転軸（Ｘ、Ｙ、Ｚ）を中心に回転する３つの別個の本体（３、４、５）をさらに備え、前記回転軸（Ｘ、Ｙ、Ｚ）が互いに対して相互に直交する、請求項１から４のいずれか一項に記載の支持ヘッド。
【請求項６】
前記少なくとも１つの本体（３、４、５）には、前記少なくとも１つの本体（３、４、５）の前記それぞれの回転軸（Ｘ、Ｙ、Ｚ）に対する前記回転をロックするためのロックデバイスが設けられる、請求項１から５のいずれか一項に記載の支持ヘッド。
【請求項７】
前記シャフト（３１）の前記第１の端部（３１ａ、４１ａ）にはねじ山の切られた部分が設けられ、前記ねじ山の切られた部分を前記少なくとも１つの本体（３、４、５）に螺着する／そこから螺戻しするために前記作動デバイス（３０、４０）が前記長手軸（Ａ、Ｂ）を中心に回転しており、このことにより前記ロックデバイスを作動／無効化して前記少なくとも１つの本体（３、４、５）の前記回転軸（Ｘ、Ｙ、Ｚ）に対する回転をロックする／可能にする、請求項６に記載の支持ヘッド。
【発明の詳細な説明】
【技術分野】
【０００１】
本発明は、主請求項の前提部において規定された特徴を有する、ビデオ−写真機器用の支持ヘッドに関する。
【背景技術】
【０００２】
支持ヘッドは、その上に装着されたビデオ−写真機器を１つまたは複数の回転軸を中心に回転させることを可能にする、ビデオ−写真の分野で広く使用される付属品である。
【０００３】
支持ヘッドは一般に、三脚などのような支持構造への取り付けの手段を設けられ得るベースを備え、また、１つまたは複数の本体が、これらがこれらのそれぞれの回転軸を中心に回転可能であるような方法でベースから重なり合って連続して装着され、併せてビデオ−写真機器が着脱可能に取り付けられ得るこれらの本体の最後のものに固定される取り付けプレートを有する。
【０００４】
上述された回転軸は通常は互いに直交し、ベースが水平面において支持されるとき、これらはベースを通過する垂直軸（パノラマ軸として知られる）、ビデオ−写真機器の光学軸に並行な水平軸（レベル軸として知られる）、およびこの光学軸に直交する水平軸（チルト軸として知られる）を画定する。
【０００５】
個々の本体のそれら自体の回転軸を中心とする回転は、操作者により対応する本体から延びる好適なレバーによって好ましくは制御されるが、これらのレバーは多くの場合、結果的に互いに直交する方向に延びる。
【０００６】
この構成は確かに、ビデオ−写真機器の配置の動作の実行を便利にするが、その過剰なかさ張りのため、支持ヘッドの輸送および保管の操作が複雑になる。
【０００７】
ＷＯ２０１１／０５６４９８は、使用されていないときにヘッドの全体寸法を低減するような方法で制御レバーのうちの１つが折り返され得る支持ヘッドについて記載している。
【０００８】
特に、この文献に記載されたレバーには、そのシャフトに沿った中央位置に、関節継手によって分割されたシャフトの２つの部分が、これら２つの部分が相互に整列されて延びる稼働位置と、ヘッドの本体のより遠位の部分が下向きに折り畳まれ得る非稼働位置との間で移動することを可能にする、関節継手が設けられる。
【０００９】
それでもやはり、関節継手の構成要素同士の間の何らかの遊びを自動的に埋めることをその構造が可能とせず、その結果、関節継手が稼働位置において閉じられている場合でさえ、シャフトの２つの部分の間で望まれない揺動が起こる可能性があるということを含め、この解決法は、いくつかの欠点を有する。
【００１０】
関節継手の構造が様々な追加の構成要素の構造および組み立てに関与し、このため支持ヘッドの全体コストが増加するということから、別の欠点が生じる。
【００１１】
シャフト上の目に見える位置に関節継手が存在する結果、関節継手が美的にあまり好ましくないものとなり、このため支持ヘッドの全体的な美観を損なう場合があるということから、別の欠点が生じる。
【００１２】
レバーが使用中であるときは伸ばされ、レバーおよび／またはヘッドが使用されていないときは閉じられることが意図されている入れ子式アームが、制御レバーに設けられているヘッドも知られている。
【００１３】
入れ子式アームは、レバーアームの様々な部品の間にレバー自体の最適な操作を可能としない遊びが存在するため、問題を生む可能性がある。
【００１４】
さらに、入れ子式アームに設けられたロックデバイスは、それ自体の無視できない寸法を有し、またアームを静止させる／解放するために操作者からの追加の動作が必要とされるため、操作をより複雑でより時間のかかるものとする。
【００１５】
したがって、既存のレバーの構造的特徴および機能的特徴を損なうことなく、支持ヘッドにおけるレバーの寸法を効果的に小さくすることを可能にする解決法を提供することへの要望が、依然として存在する。
【先行技術文献】
【特許文献】
【００１６】
【特許文献１】ＷＯ２０１１／０５６４９８
【発明の概要】
【００１７】
本発明の根底にある課題は、知られている先行技術を参照して上述された制限を克服する、ビデオ−写真機器用の支持ヘッドを提供するというものである。
【００１８】
この課題の文脈内では、本発明の１つの目的は、信頼性があり、構造が単純でコストの低減された支持ヘッドを提供することである。
【００１９】
以下の特許請求の範囲に従って構築された支持ヘッドにより本発明を通して、この課題は解決され、またこの目的は達成される。
【００２０】
本発明の特徴および利点は、添付の図面を参照して、表示として限定することなく例示される、好ましい実施形態の詳細な説明からより明らかとなるであろう。
【図面の簡単な説明】
【００２１】
【図１】非稼働構成における、本発明に従って構築されたビデオ−写真機器用の支持ヘッドの上方からの斜視図。
【図２】稼働構成における、本発明に従って構築されたビデオ−写真機器用の支持ヘッドの上方からの斜視図。
【図３】対応する長手軸に沿って見られた、図１の稼働構成における、先行する図の支持ヘッドの詳細の断面図。
【図４】対応する長手軸に沿って見られた、図２の閉じられた構成における、先行する図の支持ヘッドの詳細の断面図。
【発明を実施するための形態】
【００２２】
各図は、本発明に従って構築された、添付された各図には図示されていないビデオ−写真機器用の支持ヘッド１を示す。
【００２３】
支持ヘッド１は、ベース２を備え、このベース２の表面上には支持面が設けられ、また、このベース２の表面上には支持ヘッド１が三脚または類似の種類の支持構造に取り付けられることを可能にするための取り付け用手段が設けられるが、この支持構造は各図には図示されていない。
【００２４】
支持ヘッド１は、第１の本体３、第２の本体４、および第３の本体５も備え、これらはこれらがヘッド１の第１の軸Ｘ、第２の軸Ｙ、および第３の軸Ｚを中心にそれぞれ回転することを可能にするような方法で互いに相互に取り付けられる。
【００２５】
より詳細には、第１の本体３は、第１の軸Ｘを中心に回転できるような方法で、好適な結合手段３’を介して第２の本体４に回転可能に取り付けられる。
【００２６】
第１の本体３には、ビデオ−写真機器を支持するように設計され、かつ、ビデオ−写真機器に係合してビデオ−写真機器をヘッド１に固定的であるが取り外し可能に取り付けることのできる、ねじ山の切られた柱体７などの取り外し可能な取り付け手段を設けられた、取り付けプレート６も設けられる。
【００２７】
取り付けプレート６および第１の本体３は、第１の軸Ｘがビデオ−写真機器の光学軸と実質的に平行となるような方法で形状形成され、ビデオ−写真機器の取り付けプレート６上での配置は、ヘッド１のレベル軸を構成するような方法で事前に決定される。
【００２８】
取り付けプレート６は、当技術分野で知られている特徴および手段により、第１の本体３から好ましくは取り外し可能である。
【００２９】
同様に、第２の本体４は、第１の軸Ｘと実質的に直交するがベース２の表面２ａとは平行となるような方法で配置構成されこのことによりヘッド１のチルト軸を形成する第２の軸Ｙを中心に回転するような方法で、第３の本体５に回転可能に取り付けられる。
【００３０】
次に第３の本体５は、これが第３の軸Ｚを中心に回転するような方法でベース２に回転可能に取り付けられ、この第３の軸Ｚは第１の軸Ｘと第２の軸Ｙの両方ならびに表面２ａに直交して延び、こうして支持ヘッド１のパノラマ軸を形成する。
【００３１】
各本体３、４、５には、図には示されないが、本体３、４、５のそれぞれのそれらの対応する回転軸Ｘ、Ｙ、Ｚを中心とする回転に抵抗するための、摩擦デバイスが設けられる。各本体には、以下でより具体的に説明されるように、作動／無効化されて各本体の対応する回転軸Ｘ、Ｙ、Ｚを中心とする回転移動をロック／解放し得る、ロックデバイスも設けられ得る。
【００３２】
本体３、４、５には、対応する本体３、４、５に取り付けられかつ本体３、４、５をそれらの対応する回転軸Ｘ、Ｙ、Ｚを中心に回転させるように設計された、第１の作動デバイス３０、第２の作動デバイス４０、第３の作動デバイス５０がそれぞれ設けられる。
【００３３】
第１の作動デバイス３０および第２の作動デバイス４０は入れ子式であり、以下でより具体的に説明されるように、上記のデバイスがそれらの対応する長手軸Ａ、Ｂに沿って最大に伸張している図２、４に示される稼働構成Ｗと、第１の作動デバイス３０および第２の作動デバイス４０の寸法が最小でありかつ稼働構成Ｗの寸法と比較して低減されている図１、３に示される非稼働構成Ｗ’との間で移動され得る。
【００３４】
非稼働構成Ｗ’は閉じられた構成であり、たとえばヘッド１を輸送または保管するために使用される。
【００３５】
第１の作動デバイス３０は、第１の本体３から長手軸Ａに沿って延びかつ自体の第１の端部３１ａのところで第１の本体３に取り付けられた第１のシャフト３１、および、シャフト３１の第１の端部３１ａの長手方向反対側の第２の端部３１ｂと関連付けられかつ第１の作動デバイス３０を操作してヘッド１に取り付けられた機器の第１の軸Ｘに沿った回転を制御するために使用者によって把持されることが意図されたハンドル３２を備える。
【００３６】
シャフト３１の第１の端部３１ａは、ねじ山の切られた部分を備え、このことによりシャフト３１は、第１の本体３に螺着され得る／そこから螺着を外され得る。この回転は、第１の本体３に関するロックデバイスを作動させて、第１の本体３の第１の回転軸Ｘを中心とする回転をそれぞれロック／解放する。
【００３７】
第１の本体３の回転をロックするために、操作者はハンドル３２に働きかけ、これをたとえば長手軸Ａを中心に時計回りに回転させて、第１の本体３に関するロックデバイスを作動させるような方法で第１の端部３１ａのねじ山の切られた部分を第１の本体３の中に螺入し、第１の本体３の回転を妨げる。
【００３８】
第１の本体３が回転するのを可能にするために、操作者は、ハンドル３２を長手軸Ａを中心に反時計回り方向に回転させて、第１の本体３に関するロックデバイスを無効化するような方法で、第１の本体３の第１の端部３１ａのねじ山を切られた部分を螺戻しする。
【００３９】
シャフト３１およびハンドル３２は、第１の作動デバイス３０の長手軸Ａに沿った全体の長さを変更するために、入れ子式で１つに関連付けられる。
【００４０】
特にハンドル３２は、図４の矢印Ｆの両方向へと長手軸Ａに沿って移動して、ハンドル３２が第１の本体３の第１の回転軸Ｘを中心とする回転を制御するように配置される稼働構成Ｗ、および、稼働構成Ｗと比較してハンドル３２が第１の本体３に向かって長手軸Ａに沿って横方向に移動する、第１の作動デバイス３０の最小寸法の非稼働構成Ｗ’に、入れ替わりに配置され得る。非稼働構成Ｗ’では、ハンドル３２は、第１の作動デバイス３０のおよびしたがってヘッド１の全体寸法を低減するために、第３の本体３に近い位置に配設される。
【００４１】
第２の作動デバイス４０は、ヘッド１に取り付けられた機器の第２の軸Ｙを中心とする回転を制御することが意図されたもので、第１の作動デバイス３０と構造的にまた機能的に類似しており、この結果、第２の作動デバイス４０については詳細には説明されず、また、第１の作動デバイス３０の部品に対応する部品は対応する参照番号で示される。
【００４２】
第２のシャフト４１および第２のハンドル４２は、第２の作動デバイス４０の対応する長手軸Ｂに沿った全体の長さを変更するために入れ子式で相互に関連付けられ、特に第２のハンドル４２は、長手軸Ｂに沿って横方向に移動して、第２のハンドル４２が第２の本体４の第２の回転軸Ｙを中心とする回転を制御するように配置される稼働構成Ｗ、および、稼働構成Ｗと比較して第２のハンドル４２が第２の本体４の近くに配置される非稼働構成Ｗ’に、入れ替わりに配置され得る。こうして、非稼働構成Ｗ’では、第２の作動デバイス４０およびしたがってヘッド１の全体寸法は低減される。
【００４３】
第１の作動デバイス３０および第２の作動デバイス４０の入れ子式の性質は、作動デバイス３０、４０と、特に、対応する作動デバイス３０、４０によって制御される本体３、４およびしたがってヘッド１に固定される機器の所望の位置の精確な調節を達成するような方法でそれらの対応する長手軸Ａ、Ｂに沿って適宜延びるシャフト３１、４１とを有する、本発明のヘッド１を提供すること、ならびに同時に、輸送中または使用されていないときのヘッド１の寸法を低減することを可能にする。
【００４４】
作動デバイス３０、４０は、ヘッド１が使用中であるとき、それらの稼働構成Ｗ、すなわち対応する長手軸Ａ、Ｂに沿ったそれらの最大伸張の位置に置かれ、ビデオ−写真機器を配置する際に高い精度を達成する。
【００４５】
同時に、使用を終えると、操作者は作動デバイス３０、４０を閉じてそれらをそれらの非稼働構成Ｗ’、すなわち閉じられた輸送構成に置くことができ、こうしてヘッド１の全体寸法を明らかに低減することができる。
【００４６】
このようにして、ヘッド１に固定された機器を配置する際の良好な調節が、過剰にかさ張るヘッド１を同時に有する必要なく達成され、また逆に言えば、ヘッド１がもはや使用されていないときに、良好な配置精度を捨て去る必要なくヘッド１の全体寸法を低減することが可能である。
【００４７】
さらに、非稼働構成Ｗ’は特にコンパクトであるので、作動デバイス３０、４０は、ヘッド１が輸送されている間、何らかの衝撃および損傷から保護される。
【００４８】
好ましくは、第１の作動デバイス３０および第２の作動デバイス４０の２つの長手軸Ａ、Ｂは、対応する作動デバイス３０、４０の回転軸Ｘ、Ｙと実質的に直交しかつそれらに直交するような方法で配置構成される。
【００４９】
シャフト３１は、シャフト３１上の第１の端部３１ａと第２の端部３１ｂとの間の中間位置において固着されかつシャフト３１に対して横断方向に突出する、環状部材３１ｃを備える。
【００５０】
ハンドル３２には、以下でより具体的に説明されるように、長手軸Ａに沿って延びかつシャフト３１の少なくとも一部分をスライド可能に収容することが意図される、空洞部３３が設けられる。
【００５１】
上述されたように、シャフト３１およびハンドル３２は両方とも、シャフト３１がハンドル３２の実質的に外部にありかつ環状部材３１ｃがハンドル３２からある距離にある稼働構成Ｗと、ハンドル３２が第１の本体３に近い位置にありシャフト３１が空洞部３３の中に実質的に導入されかつ環状部材３１ｃがハンドル３２に当接している非稼働構成Ｗ’との間で、長手軸Ａの方向にスライドすることができる。
【００５２】
環状部材３１ｃは、シャフト３１上で第１の端部３１ａと環状部材３１ｃとの間に延びかつ稼働構成Ｗと非稼働構成Ｗ’の両方においてハンドル３２の空洞部３３の外側に配置されることが意図された第１のシャフト部分３１’、および、非稼働構成Ｗ’においてハンドル３２の空洞部３３の中に受容されかつ稼働構成Ｗにおいてハンドル３２の外側に部分的に配置されることが意図された、第２の端部３１ｂと環状部材３１ｃとの間に画定された第２のシャフト部分３１”を画定する。環状部材３１ｃはしたがって、非稼働構成Ｗ’において、シャフト３１のための端部停止部材として働く。
【００５３】
稼働構成Ｗにおいて第１の作動デバイス３０に関する端部停止部材として働くことが意図される環状部材３１ｄが、シャフト３１の第２の端部３１ｂ上に設けられる。
【００５４】
空洞部３３は、長手軸Ａに沿って互いに連続しておりかつ単一の空洞部３３を形成するような方法で配置される、円筒形の空洞部３３ａおよび先細の空洞部３３ｂを備える。先細の空洞部３３ｂは、ハンドル３２の第１の本体３に面する部分の中に設けられ、第１の本体３に向かって狭くなる。先細の空洞部３３ｂは、シャフト３１に対して斜めにされた壁部Ｐによって境界を付けられる。
【００５５】
ハンドル３２には、空洞部３３の中でのシャフト３１のスライドを案内するための案内デバイス３４がさらに設けられる。
【００５６】
案内デバイス３４は、円筒形の空洞部３３ａの中に長手軸Ａの方向に配設されかつシャフト３１をスライド可能に受容するように形状形成されたらせん形のばね３５、および、先細の空洞部３３ｂの中に設けられかつ自体の環状ベース３６ａを介してばね３５の一方の端部に固着された摩擦部材を備える。
【００５７】
摩擦部材３６は、環状ベース３６ａからばね３５の反対の方向に延びかつシャフト３１と先細の空洞部３３ｂの壁部Ｐとの間に配設されるように形状形成された少なくとも１つのくさび形の部材３７をさらに備える。
【００５８】
摩擦部材３６は、ハンドル３２に対するシャフト３１の移動を調節するために使用される。
【００５９】
少なくとも１つのくさび形の部材３７の存在は、先細の空洞部３３ｂとシャフト３１との間に存在し得る何らかの遊びを埋め、第１の作動デバイス３０の機能性を改善することを可能にする。
【００６０】
特に、少なくとも１つのくさび形の部材３７は、第１の作動デバイス３０が作動されるときに、ハンドル３２に対する長手軸Ａに沿ったシャフト３１の移動を改善することを可能にする。
【００６１】
また、シャフト３１とハンドル３２との間の遊びを埋めることによって、くさび形の部材３７は、シャフト３１およびハンドル３２が長手軸Ａを中心に一緒に回転することを、すなわちシャフト３１とハンドル３２との間の何らかの相互回転を回避することを可能にする。このことは、第１の本体３の回転を静止させる／解放するためにハンドル３２が回転されている間の何らかの望まれない遊びを排除することを可能にする。
【００６２】
例示された形態では、摩擦部材３６は、環状ベース３６ａ上の周方向に離間された位置に配設された、環状ベース３６ａから延びかつシャフト３１と先細の空洞部３３ｂの壁部Ｐとの間に置かれるような方法で形状形成される、３つの別個のくさび形の部材３７を備える。各くさび形の部材３７は、ハンドル３２とシャフト３１との間に角度αが画定されるような方法で形状形成される。
【００６３】
ばね３５は、くさび形の部材３７を先細の空洞部３３の壁部Ｐに対して押し付けるような方法で配置構成される。
【００６４】
このようにして、遊びがシャフト３１とハンドル３２との間で発生することが防止され、また、くさび形の部材３７は、シャフト３１と先細の空洞部３３ｂの壁部Ｐの両方に対して押圧する。
【００６５】
操作中のとき、操作者がヘッド１を使用することを決めると、この操作者は、第１の作動デバイス３０および／または第２の作動デバイス４０を、稼働構成Ｗへと、すなわちシャフト３１がハンドル３２の中に実質的に配設される最大伸張の構成へと至らせることになる。
【００６６】
このことを行うために、操作者はハンドル３２を把持してこれを図３の矢印Ｆ１で示されるように長手軸Ａに沿ってヘッド１から離れるように引っ張り、このことによって第１のシャフト部分３１’をハンドル３２の中の空洞部３３から外に漸進的に移動させる。
【００６７】
操作者によって及ぼされるハンドル３２上の力は、くさび形の部材３７へとまたこれらからシャフト３１へと、伝達される。
【００６８】
くさび形の部材３７は移動に対して、操作者によって印加される力、くさび形の部材３７の角度α、および摩擦係数μに依存する抵抗力を印加し、そしてこの摩擦係数μは、くさび形の部材３７およびシャフト３１を形成する材料に依存する。
【００６９】
ハンドル３２およびしたがってくさび形の部材３７に対するシャフト３１の移動は、長手軸Ａに沿ったものであり、移動の方向の成分である、シャフト３１に印加される力の有用な成分が、くさび形の部材３７によって生成される摩擦力よりも大きい場合に発生する。
【００７０】
くさび形の部材３７の角度αを大きくすることにより、摩擦力が小さくなり、また逆に、くさび形の部材３７の角度αが小さくされると、くさび形の部材３７によってシャフト３１に及ぼされる摩擦力Ａが大きくされ、またしたがって、他の条件が等しければ、くさび形の部材３７は、シャフト３１に係合してこれが空洞部３３の中にスライドするのを防止しようとする。
【００７１】
ハンドル３２に対するシャフト３１の移動は、くさび形の部材３７がシャフト３１の第２の端部３１ｂ上に設けられた環状部材３１ｄに対して当接するときに静止される。
【００７２】
第１の作動デバイス３０を非稼働状態Ｗ’へと至らせるために、操作者はハンドル３２を把持し、図４の矢印Ｆ２によって図示されるように、これを第１の本体３に向けて押す。このことはハンドル３２とシャフト３１との間の移動をもたらし、またシャフト３１は空洞部３３の中に漸進的に導入される。
【００７３】
この移動において、シャフト３１はくさび形の部材３７に対して移動し、この移動は、シャフト３１のためにおよびくさび形の部材３７のために使用される材料に依存する摩擦係数による摩擦にさらされる。
【００７４】
上記された特徴のため、支持ヘッド１は、第１の作動デバイス３０および第２の作動デバイス４０が最小寸法の引き込まれた位置にありしたがってヘッド１の全体寸法を最小化する構成で、輸送および保管され得る。
【００７５】
ヘッド１が稼働状態に置かれる必要があるとき、第１の作動デバイス３０および第２の作動デバイス４０は、稼働構成Ｗへと代わって移動される。
【００７６】
第１の作動デバイス３０および第２の作動デバイス４０はこうして、一方または両方が閉じられた輸送構成にあるときに、ヘッドの寸法の低減を達成することを可能にする。
【００７７】
当分野で通常使用されるヘッドの場合、本発明による第１の作動デバイス３０および第２の作動デバイス４０は、非稼働構成におけるヘッドの全体寸法において２５〜３０％もの低減を得ることを可能にする。
【００７８】
本発明はしたがって、上述された課題を克服し、その一方で多くの他の利点を同時に提供する。さらに、稼働状態において作動デバイスの正常な使用の邪魔をする可能性のある遊びを作動デバイスの回転機構において何ら導入しないことにより、本発明が関連する解決法は、本発明によるヘッドに取り付けられた機器の良好な調節を得ることおよびこれを維持することを可能にする。
【００７９】
例示されていないヘッドの形態では、第３の本体にも、上記されたものと同じ方法で構築された入れ子式の作動デバイスが設けられ得る。
【００８０】
本発明によるヘッドの示されていない別の形態では、ヘッドの複数の本体のうちの１つだけに、上記されたもののような入れ子式の作動デバイスが設けられる。
【図１】
0005985763.tif 000002
【図２】
0005985763.tif 000003
【図３】
0005985763.tif 000004
【図４】
0005985763.tif 000005